【事件の表示】
　平成３年特許願第５０１０２９号「ローターブレードの折畳みおよび錠止装置」〔平成３年５月３０日国際公開、ＷＯ９１／０７３１４、平成４年７月３０日国内公表、特表平４−５０４２４０、請求項の数（１２）〕拒絶査定に対する審判事件について、次のとおり審決する。
【結　論】
　原査定を取り消す。
　本願の発明は、特許すべきものとする。
【理　由】
　１．手続の経緯と本願の発明
　本願は、１９９０（平成２）年１０月９日（パリ条約による優先権主張１９８９年１１月２０日（ＵＳ）アメリカ合衆国）に、特許法第１８４条の３第１項で規定する、指定国に日本国を含む国際出願として出願されたものであって、その発明は、平成１３年６月８日付及び平成１４年１１月２０日付の各手続補正に係る明細書における、特許請求の範囲の請求項１〜１２のそれぞれに記載された、次のとおりのものと認める。
　「【請求項１】　可変ピッチ型式のローターブレードの折畳みおよび錠止装置であって、
　前記ブレードをロータ駆動部に連結するブレード把持部材にして、該把持部材は該ブレードのピッチ角度を調節するために枢動可能であり、且つ該ブレードに枢動可能に連結されていて折畳み位置と展開位置との間で該ブレードが枢動し得るようにしている、前記ブレード把持部材と、
　該ブレード把持部材に配置されていて、展開位置と折畳み位置との間でブレードを枢動させる回転作動装置と、
　前記回転作動装置に連結され且つ該回転作動装置によって移動されるように、前記把持部材に備えられたブレード錠止装置であって、該ブレードが展開位置にある時に該ブレードが不慮に折畳まれるのを防止するとともに、該ブレードが折畳まれている時にピッチ角度が変化するのを防止するようになっており、且つ前記把持部材に装架された細長いブレード錠止ピンを含んでいて、このブレード錠止ピンは、錠止位置と非錠止位置との間を往復動するようになっており、また、前記把持部材に備えられていて前記回転作動装置及び前記ブレード錠止ピンに連結された運動変換手段を含んでいて、この運動変換手段は、前記回転作動装置の枢動運動を前記ブレード錠止ピンの直線運動に変換するようになっている、前記ブレード錠止装置と、を含み更に、前記ブレードが展開位置にある時に、該ブレードと係合可能な表面を有し、前記ブレードを所望の展開位置に位置決めするための停止部材を前記把持部材に備えており、前記細長いブレード錠止ピンは前記停止部材の前記表面に対して角度をなしている長手方向軸線を有し、前記細長いブレード錠止ピンは前記軸線に沿って移動して、前記ブレードを前記停止部材に対してくさび止めするようになっている、装置。
　【請求項２】　更に、前記ブレード錠止ピンに連結されているオーバーセンター装置を含み、このオーバーセンター装置は、前記ブレード錠止ピンが該オーバーセンター装置によって該ブレードと係合しないように移動されている時を除いて、前記ブレード錠止ピンが前記ブレードとの錠止係合から離脱して移動するのを防止している、請求項１に記載の装置。
　【請求項３】　前記ブレード錠止装置は前記ブレード錠止ピンと共に且つ前記ブレード錠止ピンの移動に応動して同時に移動可能なピッチ錠止ピンを含み、このピッチ錠止ピンは錠止位置と非錠止位置との間を移動して、前記ブレードが折畳まれている時と展開されている時とにおいて、それぞれ、前記ブレードのピッチの調節を阻止したり、許容したりするようになっている、請求項２に記載の装置。
　【請求項４】　更に、前記ローターブレードに対する抗力を減少されるようになった、前記折畳みおよび錠止装置を覆う流線形ハウジング装置と、前記回転作動装置に連結され且つ該回転作動装置によって作動される、前記流線形ハウジングに対して枢動される流線形ドア部材にして、前記折畳みおよび錠止装置が覆われるような閉鎖位置と、前記ブレードの折畳まれる位置から離れた位置に前記流線形ドアが枢動される開放位置との間を移動するようになった、前記流線形ドア部材とを含む、請求項３に記載の装置。
　【請求項５】　前記ブレード錠止装置は、更に、前記回転作動装置によって担持された流線形ドア部材掛止部材を含み、この流線形ドア部材掛止部材は、前記ブレードが展開されている時、および折畳まれている時、それぞれ、前記流線形ドア部材と錠止した係合を行ない、錠止した係合から離脱するように移動可能である、請求項４に記載の装置。
　【請求項６】　可変ピッチ型式のローターブレードのための折畳みおよび錠止装置であって、
　前記ブレードを回転駆動部に連結するブレード把持部材にして、前記ブレードのピッチ角度を調節するために枢動可能である、前記ブレード把持部材と、
　該ブレードを展開された位置と折畳まれた位置との間で枢動させるために、前記把持部材に配置された回転作動装置にして、それぞれ独立して及び一緒に枢動可能な第１及び第２出力部材を含むギヤ減速装置を有し、前記第１出力部材はブレード錠止装置に連結され、前記第２出力部材は前記ブレードに連結され、さらに、前記ギヤ減速装置を駆動するモータ装置を含む、前記回転作動装置と、
　一方向への前記第１及び第２出力部材の所望の枢動を許容し且つ該第２出力部材の一方向の枢動を阻止するが反対方向への前記第２出力部材の枢動を許容する制限カムと、
　前記回転作動装置に連結され且つ該回転作動装置によって移動される、前記把持部材に備えたブレード錠止装置にして、前記ブレードが展開位置にある時、該ブレードが不慮に折畳まれることを阻止し、且つ前記ブレードが折畳まれている時に、ピッチ角度の変化が生ずるのを阻止する、前記ブレード錠止装置と、
　を含む装置。
　【請求項７】　可変ピッチ型式のローターブレードのための折畳みおよび錠止装置であって、
　前記ブレードを回転駆動部に連結していて、該ブレードのピッチ角度を調節するために枢動可能であるブレード把持部材と、
　前記把持部材に配置されていて、展開位置と折畳み位置との間で前記ブレードを枢動させる回転作動装置と、
　前記回転作動装置に連結され且つ該回転作動装置によって移動される、前記把持部材に備えられたブレード錠止装置にして、前記ブレードが展開位置にある時該ブレードの不慮の折畳みを阻止し、且つ該ブレードが折畳み位置にある時ピッチ角度の変化を阻止するようになっており、また、前記回転作動装置によって担持された流線形ドア部材掛止部材を含み、この掛止部材は、前記ブレードが展開されている時、および折畳まれている時、それぞれ、前記流線形ドア部材に掛止係合し、掛止係合から離脱されるように移動可能である、前記ブレード錠止装置と、
　前記ローターブレードに対する抗力を減少させるように、前記折畳みおよび錠止装置を覆う流線形ハウジング装置と、
　前記回転作動装置に連結され且つ該回転作動装置によって作動されて、前記流線形ハウジング装置に対して枢動する流線形ドア部材にして、前記折畳みおよび錠止装置が覆われる閉鎖位置と、前記流線形ドアが前記ブレードの折畳まれた位置から離れた位置に枢動される開放位置との間に移動される、前記流線形ドア部材と、
　前記回転作動装置及びリンク装置に連結されるドエルカム部材にして、該回転作動装置の運動に応動して可動のカム従動部材を含み、該ドエルカム部材は、前記流線形ドアを開く前に該ドアの掛止を離脱するように、及び前記ドアが閉じた後に該ドアを掛止するように、前記回転作動装置の運動を許容するための前記カム従動部材を受ける溝を有する、前記ドエルカム部材と、
　を含む装置。
　【請求項８】　可変ピッチ型式のローターブレードのための折畳みおよび錠止装置であって、
　前記ブレードを回転駆動部に連結していて、前記ブレードのピッチ角度を調節するために枢動するブレード把持部材と、
　前記把持部材に配置されていて、展開位置と折畳み位置との間で該ブレードを枢動させる回転作動装置と、
　該回転作動装置に連結され且つ該回転作動装置によって可動である、該把持部材に備えられたブレード錠止装置にして、前記ブレードが展開した位置にある時に前記ブレードの不慮の折畳みを阻止し、且つ該ブレードが折畳まれている時にピッチ角度の変化するのを阻止するようになっており、また、前記把持部材に装架されていて、錠止位置と非錠止位置との間を往復動する細長いブレード錠止ピン、及び前記回転作動装置及び前記ブレード錠止ピンに連結されていて、該把持部材に備えられた運動変換装置を含み、この運動変換装置は、前記回転作動装置の枢動を前記ブレード錠止ピンの直線運動に変換するようになっており、前記ブレード錠止装置は、更に、前記回転作動装置に担持された流線形ドア部材掛止部材を有し、この掛止部材は、前記ブレードが展開された時、および折畳まれた時、それぞれ、前記ドア部材と掛止係合し、掛止係合から離脱するように可動である、前記ブレード錠止装置と、
　前記ローターブレードに対する抗力を減少させるために、前記折畳みおよび錠止装置を覆う流線形ハウジング装置と、
　前記回転作動装置に連結され且つ該回転作動装置によって作動されて、前記ハウジングに対して枢動する流線形ドア部材にして、前記折畳みおよび錠止装置が覆われる閉鎖位置と、該ドアが該ブレードの折畳み位置から離れた位置に枢動される開放位置との間で移動するようにされた、前記流線形ドア部材と、
　前記回転作動装置及びリンク装置に連結されるドエルカム部材にして、該回転作動装置の運動に応動して可動のカム従動部材を含み、該ドエルカム部材は、前記ドアを開く前に該ドアの掛止を離脱するように、及び前記ドアが閉じた後に該ドアを掛止するように、前記回転作動装置の運動を許容するための前記カム従動部材を受ける溝を有する、前記ドエルカム部材と、
　を含む装置。
　【請求項９】　可変ピッチ型式のロータリーブレードのための折畳みおよび錠止装置であって、
　前記ブレードを回転駆動部に連結していて、前記ブレードのピッチ角度を調節するために枢動するブレード把持部材と、
　前記把持部材に配置されていて、展開位置と折畳み位置との間で該ブレードを枢動させる回転作動装置と、
　該回転作動装置に連結され且つ該回転作動装置によって可動である、該把持部材に備えられたブレード錠止装置にして、前記ブレードが展開した位置にある時に前記ブレードの不慮の折畳みを阻止し、且つ該ブレードが折畳まれている時にピッチ角度の変化するのを阻止するようになっており、また、前記把持部材に装架されていて、錠止位置と非錠止位置との間を往復動する細長いブレード錠止ピン、及び前記回転作動装置及び前記ブレード錠止ピンに連結されていて、該把持部材に備えられた運動変換装置を含み、この運動変換装置は、前記回転作動装置の枢動を前記ブレード錠止ピンの直線運動に変換するようになっており、更に、前記ブレード錠止ピンが錠止位置と非錠止位置との間で運動するのに応動して可動であるピッチ錠止ピンを含み、このピッチ錠止ピンは前記ブレードが折畳まれた時、および展開された時、それぞれ、ブレードのピッチを調節するのを阻止し、この調節を許容するようになっており、前記ブレード錠止装置は、また、前記回転作動装置に担持された流線形ドア部材掛止部材を有し、この掛止部材は、前記ブレードが展開された時、および折畳まれた時、それぞれ、前記ドア部材と掛止係合し、掛止係合を離脱するように可動である、前記ブレード錠止装置と、
　前記把持部材に配置されていて、前記ブレードが展開位置にある時に該ブレードと係合する表面を有する停止部材にして、所望の展開に前記ブレードを位置決めするようになっており、前記細長いブレード錠止ピンは該停止部材の前記表面に対して、角度をなして配置された長手方向軸線を有し、このブレード錠止ピンは該軸線に沿って移動して前記停止部材に対して該ブレードをくさび止めするようになっている、前記停止部材と、
　前記ブレード錠止ピンに連結されたオーバーセンター装置にして、該オーバーセンター装置によって前記ブレード錠止ピンが該ブレードとの係合を離脱して移動される時を除いて、前記ブレード錠止ピンが該ブレードと錠止係合を離脱するように移動することを阻止するようになっている、前記オーバーセンター装置と、
　前記ローターブレードに対する抗力を減少させるように前記折畳みおよび錠止装置を覆う流線形ハウジング装置と、
　前記回転作動装置に連結され且つ該回転作動装置によって作動される、前記流線形ハウジング装置に対して枢動される流線形ドア部材にして、前記折畳みおよび錠止装置が覆われるような閉鎖位置と、前記ブレードの折畳まれる位置から離れた位置に前記流線形ドアが枢動される開放位置との間を移動するようになった、前記流線形ドア部材と、
　前記回転作動装置及びリンク装置に連結されるドエルカム部材にして、該回転作動装置の運動に応動して可動のカム従動部材を含み、該ドエルカム部材は、前記ドアを開く前に該ドアの掛止を離脱するように、及び前記ドアが閉じた後に該ドアを掛止するように、前記回転作動装置の運動を許容するための前記カム従動部材を受ける溝を有する、前記ドエルカム部材と、
　を含む装置。
　【請求項１０】　可変ピッチ型式のロータリーブレードのための折畳みおよび錠止装置であって、
　前記ブレードを回転駆動部に連結していて、前記ブレードのピッチ角度を調節するために枢動するブレード把持部材と、
　前記把持部材に配置されていて、展開位置と折畳み位置との間で該ブレードを枢動させる回転作動装置と、
　該回転作動装置に連結され且つ該回転作動装置によって可動である、該把持部材に備えられたブレード錠止装置にして、前記ブレードが展開した位置にある時に前記ブレードの不慮の折畳みを阻止し、且つ該ブレードが折畳まれている時にピッチ角度の変化するのを阻止するようになっており、また、前記回転作動装置によって担持された流線形ドア部材掛止部材を含み、この掛止部材は、前記ブレードが展開されている時、および折畳まれている時、それぞれ、前記流線形ドア部材に掛止係合し、掛止係合から離脱するように移動可能である、前記ブレード錠止装置と、
　前記ローターブレードに対する抗力を減少させるようになっていて、前記折畳みおよび錠止装置を覆う流線形ハウジング装置と、
　前記回転作動装置に連結され且つ該回転作動装置によって作動される、前記流線形ハウジング装置に対して枢動される流線形ドア部材にして、前記折畳みおよび錠止装置が覆われるような閉鎖位置と、前記ブレードの折畳まれる位置から離れた位置に前記流線形ドアが枢動される開放位置との間を移動するようになった、前記流線形ドア部材と、
　前記回転作動装置及びリンク装置に連結されるドエルカム部材にして、該回転作動装置の運動に応動して可動のカム従動部材を含み、該ドエルカム部材は、前記流線形ドアを開く前に該ドアの掛止を離脱するように、及び前記ドアが閉じた後に該ドアを掛止するように、前記回転作動装置の運動を許容するための前記カム従動部材を受ける溝を有する、前記ドエルカム部材と、
　前記ブレードとの錠止係合から離脱して前記ブレード錠止ピンが不慮に運動するのを阻止するための摩擦ブレーキ装置と、
　を含む装置。
　【請求項１１】　可変ピッチ型式のロータリーブレードのための折畳みおよび錠止装置であって、
　前記ブレードを回転駆動部に連結していて、前記ブレードのピッチ角度を調節するために枢動するブレード把持部材と、
　前記把持部材に配置されていて、展開位置と折畳み位置との間で該ブレードを枢動させる回転作動装置と、
　該回転作動装置に連結され且つ該回転作動装置によって可動である、該把持部材に備えられたブレード錠止装置にして、前記ブレードが展開した位置にある時に前記ブレードの不慮の折畳みを阻止し、且つ該ブレードが折畳まれている時にピッチ角度の変化するのを阻止するようになっており、また、前記把持部材に装架されていて、錠止位置と非錠止位置との間を往復動する細長いブレード錠止ピン、及び前記回転作動装置及び前記ブレード錠止ピンに連結されていて、該把持部材に備えられた運動変換装置を含み、この運動変換装置は、前記回転作動装置の枢動を前記ブレード錠止ピンの直線運動に変換するようになっており、前記ブレード錠止装置は、更に、前記回転作動装置に担持された流線形ドア部材掛止部材を有し、この掛止部材は、前記ブレードが展開された時、および折畳まれた時、それぞれ、前記ドア部材と掛止係合し、掛止係合が離脱するように可動である、前記ブレード錠止装置と、
　前記ローターブレードに対する抗力を減少させるために、前記折畳みおよび錠止装置を覆う流線形ハウジング装置と、
　前記回転作動装置に連結され且つ該回転作動装置によって作動されて、前記流線形ハウジング装置に対して枢動する流線形ドア部材にして、前記折畳みおよび錠止装置が覆われる閉鎖位置と、前記流線形ドアが前記ブレードの折畳まれた位置から離れた位置に枢動される開放位置との間に移動される、前記流線形ドア部材と、
　前記回転作動装置及びリンク装置に連結されるドエルカム部材にして、該回転作動装置の運動に応動して可動のカム従動部材を含み、該ドエルカム部材は、前記流線形ドアを開く前に該ドアの掛止を離脱するように、及び前記ドアが閉じた後に該ドアを掛止するように、前記回転作動装置の運動を許容するための前記カム従動部材を受ける溝を有する、前記ドエルカム部材と、
　前記ブレードとの錠止係合から離脱して前記ブレード錠止ピンが不慮に運動するのを阻止するための摩擦ブレーキ装置と、
　を含む装置。
　【請求項１２】　可変ピッチ型式のロータリーブレードのための折畳みおよび錠止装置であって、
　前記ブレードを回転駆動部に連結していて、前記ブレードのピッチ角度を調節するために枢動するブレード把持部材と、
　前記把持部材に配置されていて、展開位置と折畳み位置との間で該ブレードを枢動させる回転作動装置と、
　該回転作動装置に連結され且つ該回転作動装置によって可動である、該把持部材に備えられたブレード錠止装置にして、前記ブレードが展開した位置にある時に前記ブレードの不慮の折畳みを阻止し、且つ該ブレードが折畳まれている時にピッチ角度の変化するのを阻止するようになっており、また、前記把持部材に装架されていて、錠止位置と非錠止位置との間を往復動する細長いブレード錠止ピン、及び前記回転作動装置及び前記ブレード錠止ピンに連結されていて、該把持部材に備えられた運動変換装置を含み、この運動変換装置は、前記回転作動装置の枢動を前記ブレード錠止ピンの直線運動に変換するようになっており、更に、前記ブレード錠止ピンが錠止位置と非錠止位置との間で運動するのに応動して可動であるピッチ錠止ピンを含み、このピッチ錠止ピンは前記ブレードが折畳まれた時、および展開された時、それぞれ、ブレードのピッチを調節するのを阻止し、この調節を許容するようになっており、前記ブレード錠止装置は、また、前記回転作動装置に担持された流線形ドア部材掛止部材を有し、この掛止部材は、前記ブレードが展開された時、および折畳まれた時、それぞれ、前記ドア部材と掛止係合し、掛止係合を離脱するように可動である、前記ブレード錠止装置と、
　前記把持部材に配置されていて、前記ブレードが展開位置にある時に該ブレードと係合する表面を有する停止部材にして、所望の展開に前記ブレードを位置決めするようになっており、前記細長いブレード錠止ピンは該停止部材の前記表面に対して角度をなして配置された長手方向軸線を有し、このブレード錠止ピンは該軸線に沿って移動して前記停止部材に対して該ブレードをくさび止めするようになっている、前記停止部材と、
　前記ブレード錠止ピンに連結されたオーバーセンター装置にして、該オーバーセンター装置によって前記ブレード錠止ピンが該ブレードとの係合を離脱して移動される時を除いて、前記ブレード錠止ピンが該ブレードと錠止係合を離脱するように移動することを阻止するようになっている、前記オーバーセンター装置と、
　前記ローターブレードに対する抗力を減少させるように前記折畳みおよび錠止装置を覆う流線形ハウジング装置と、
　前記回転作動装置に連結され且つ該回転作動装置によって作動される、前記流線形ハウジング装置に対して枢動される、流線形ドア部材にして、前記折畳みおよび錠止装置が覆われるような閉鎖位置と、前記ブレードの折畳まれる位置から離れた位置に前記流線形ドアが枢動される開放位置との間を移動するようになった、前記流線形ドア部材と、
　前記回転作動装置及びリンク装置に連結されるドエルカム部材にして、該回転作動装置の運動に応動して可動のカム従動部材を含み、該ドエルカム部材は、前記流線形ドアを開く前に該ドアの掛止を離脱するように、及び前記ドアが閉じた後に該ドアを掛止するように、前記回転作動装置の運動を許容するための前記カム従動部材を受ける溝を有する、前記ドエルカム部材と、
　前記ブレードとの錠止係合から離脱して前記ブレード錠止ピンが不慮に運動するのを阻止するための摩擦ブレーキ装置と、
　を含む装置。」
（上記の各請求項に係る発明の内、請求項１の発明を、以下、「本願発明」という）
　
　２．引用例との対比、相違点の検討
　（１）引用例
　本願を拒絶すべきものとした原査定の理由では、本願の発明が、その出願前において当業者が容易に発明をすることができたとして、次のａ〜ｄの刊行物を引用している。
　ａ．米国特許第４４３６４８３号明細書
　ｂ．米国特許第３７４９５１５号明細書
　ｃ．米国特許第３３８９８７８号明細書
　ｄ．米国特許第４６９１８７８号明細書
　（２）発明の対比
　原審において認定しているように、上記ａの刊行物には、＜ブレード把持部材（blade support arm 11）と、出力部材（lever、arm 23）、ギヤ減速装置（speed reducing gearbox 22）、モーター装置（electrically powered actuator 21）を含む回転作動装置と、ブレード錠止めピン（lock pin 17）、ピッチ錠止め突起（lug 32）を含むピッチ錠止め装置（pitch lock mechanism）と、ブレード錠止めピンに連結されるオーバーセンター機構（第８欄第４８〜５３行参照）とを備えた折り畳み及び錠止め装置＞に相当するものが記載されているといえる。
　上記の記載事項に加えて、航空機用の折り畳み式のローターブレードに関する技術常識を勘案した上で、本願発明（請求項１の発明）と、上記ａの刊行物に記載された発明とを対比すると、次の点では一致しているといえる。
　＜一致点＞  可変ピッチ型式のローターブレードの折畳みおよび錠止装置に関して、
  「前記ブレードをロータ駆動部に連結するブレード把持部材にして、該把持部材は該ブレードのピッチ角度を調節するために枢動可能であり、且つ該ブレードに枢動可能に連結されていて折畳み位置と展開位置との間で該ブレードが枢動し得るようにしている、前記ブレード把持部材と、
　該ブレード把持部材に配置されていて、展開位置と折畳み位置との間でブレードを枢動させる回転作動装置と、
　前記回転作動装置に連結され且つ該回転作動装置によって移動されるブレード錠止装置であって、該ブレードが展開位置にある時に該ブレードが不慮に折畳まれるのを防止するとともに、該ブレードが折畳まれている時にピッチ角度が変化するのを防止する細長いブレード錠止ピンを含んでいて、このブレード錠止ピンは、錠止位置と非錠止位置との間を往復動するようになっており、また、前記把持部材に備えられていて前記回転作動装置及び前記ブレード錠止ピンに連結された運動変換手段を含んでいて、この運動変換手段は、前記回転作動装置の枢動運動を前記ブレード錠止ピンの直線運動に変換するようになっている」点。
　　＜相違点＞
　一方、本願発明におけるブレード錠止装置（及び、当該装置におけるブレード錠止ピン）は、「把持部材」に備えられていること（以下、「相違点１の構成」という）、
　同じく、本願発明における、「前記ブレードが展開位置にある時に、該ブレードと係合可能な表面を有し、前記ブレードを所望の展開位置に位置決めするための停止部材を前記把持部材に備えており、前記細長いブレード錠止ピンは前記停止部材の前記表面に対して角度をなしている長手方向軸線を有し、前記細長いブレード錠止ピンは前記軸線に沿って移動して、前記ブレードを前記停止部材に対してくさび止めするようになっている」こと（以下、「相違点２の構成」という）については、上記ａの刊行物に記載された発明では言及されていない。
　（３）相違点の検討
　上記ｂの刊行物には、回転作動装置とブレード錠止めピンとを、運動変換装置を介して連結する構成や、回転作動装置にリミットカムを備える構成が開示され、上記ｃの刊行物には、折り畳んだブレードをゴンドラ４内に収容することが記載され、更に、上記ｄの刊行物にはブレードの折り畳みの態様（折り畳んだ形状）が開示されているが、それらいずれの刊行物にも、上記相違点１及び２の構成を開示あるいは示唆する記載はない。
　そして、部材を固定するために楔を用いることは周知の技術事項といえるが、そのような固定手段をロータリーブレードの折り畳み機構に具体化した上記相違点１及び２の構成まで容易とはいえない。
　しかも、本願発明は、上記相違点１及び２の構成を備えることにより、展開位置にあるブレードが不慮に折り畳まれることを確実に防止すると共に、ブレード連結機構の複雑化を回避できるという、作用効果を奏するものである。
　したがって、本願発明は、上記各刊行物に記載された発明に基づいて、当業者が容易に発明をすることができたものとはいえない。
　
　３．請求項２以下の発明について
　（１）請求項２〜５の発明は、本願発明に更なる限定事項を加える発明であるから、本願発明と同様に、上記各刊行物に記載された発明に基づいて、当業者が容易に発明をすることができたものとはいえない。
　（２）また、請求項６の発明は、上記相違点１の構成を備えるものといえるが、上記相違点１の構成を開示あるいは示唆する記載は上記いずれの刊行物にも認められず、しかも、請求項６の発明は、上記相違点１の構成を具備することによって、本願発明について指摘したのと同様の作用効果を奏するものであり、やはり、上記各刊行物に記載された発明に基づいて、当業者が容易に発明をすることができたものとはいえない。
　（３）更に請求項７〜１２の発明は、上記相違点１の構成に加えて、「前記回転作動装置に連結され且つ該回転作動装置によって作動されて、前記流線形ハウジング装置に対して枢動する流線形ドア部材にして、前記折畳みおよび錠止装置が覆われる閉鎖位置と、前記流線形ドアが前記ブレードの折畳まれた位置から離れた位置に枢動される開放位置との間に移動される、前記流線形ドア部材」と、「前記回転作動装置及びリンク装置に連結されるドエルカム部材にして、該回転作動装置の運動に応動して可動のカム従動部材を含み、該ドエルカム部材は、前記流線形ドアを開く前に該ドアの掛止を離脱するように、及び前記ドアが閉じた後に該ドアを掛止するように、前記回転作動装置の運動を許容するための前記カム従動部材を受ける溝を有する、前記ドエルカム部材」を備えるものであり、やはり、上記各刊行物に記載された発明に基づいて、当業者が容易に発明をすることができたものとはいえない。
　
　４．むすび
　以上のとおりであるから、本願を原査定の理由によって拒絶すべきものとすることはできないし、また、他に本願を拒絶すべき理由も発見しない。
　よって、結論のとおり審決する。